(57)【特許請求の範囲】
【請求項１】
乗り物から、該乗り物に固定されたサイドウィンドウ要素（１）を取り除く方法であって、
前記サイドウィンドウ要素（１）は、第一の側面（１Ａ）及び他の側面である第２の側面（１Ｂ）を有し、かつ前記乗り物の受け枠（２）に前記サイドウィンドウ要素（１）の周囲全体の端部（１Ｃ）を接着剤で接合してあり、
前記サイドウィンドウ要素（１）の第一の側面（１Ａ）から前記サイドウィンドウ要素（１）の第２の側面（１Ｂ）まで、前記サイドウィンドウ要素（１）の端部（１Ｃ）の周囲全体を接合している接着剤中を通してワイヤー（１５）の第一と第二端（１５Ａ、１５Ｄ）を挿入して前記ワイヤー（１５)通し、そして、
該ワイヤー（１５）の第一と第二端（１５Ａ、１５Ｄ）を前記第２の側面（１Ｂ）の上に出して前記サイドウィンドウ要素（１）の前記周囲全体の端部（１Ｃ）に沿ってワイヤー（１５）を輪形をなすように配し、
前記サイドウィンドウ要素（１）の前記第２の側面（１Ｂ）に固着した単一のツール（３）の第一のワイヤー巻き取り機構（１６）に前記ワイヤーの第一の端（１５Ａ）を取り付け、前記第一のワイヤー巻き取り機構（１６）で前記ワイヤー（１５）の第一の端（１５Ａ）を引いて、ワイヤー（１５）に張力を与え、
前記単一ツール（３）の他のワイヤー巻き取り機構（１７）に前記ワイヤー（１５）の第二の端（１５Ｄ）を取り付け、そして
前記ワイヤー（１５）の第一と第二の端（１５Ａ、１５Ｄ）を引き、前記サイドウィンドウ要素（１）の端部（１Ｃ）の周囲全体のまわりの接着剤を該ワイヤー（１５）で切断することを特徴とする乗り物に固定されたサイドウィンドウ要素を取り除く方法。
【請求項２】
請求項１に記載の方法であって、前記ツール（３）は、フレーム（２）からウィンドウ要素を切り離すための切断全過程中に、前記ウィンドウ要素（１）の第二の側（１Ｂ）のその初期位置に保持されることを特徴とする方法。
【請求項３】
請求項１または２に記載の方法であって、対応するワイヤー部分（１５Ｂ−Ｃ、１５Ｅ−Ｆ）が会合点（ＭＰ）に達するまで、ワイヤーの第一と第二端（１５Ａ、１５Ｄ）を、対応する巻き取り機構（１６、１７）によって一度に引っ張り、ワイヤー（１５）が、サイドウィンドウ（１）の周囲全体の端部（１Ｃ）で接着剤を切り離すことを特徴とする方法。
【請求項４】
請求項１から３のいずれの方法であって、ワイヤー（１５）の第一端（１５Ａ）を対応する巻き取り機構（１６）によって引っ張り、ワイヤーの第二の端（１５Ｄ）が対応する巻き取り機構（１７）によって引かれる前に、ワイヤーの対応箇所（１５Ｂ、１５Ｃ）が、会合点（ＭＰ）までのサイドウィンドウ要素（１）の端（１Ｃ）で接着剤を切り離すことを特徴とする方法。
【請求項５】
請求項１から３のいずれかの方法であって、ワイヤーの第一、第二の端（１５Ａ、１５Ｄ）を、対応する巻き取り機構（１６、１７）によって対応するワイヤー部分（１５Ｂ−Ｃ、１５Ｅ−Ｆ）が会合点（ＭＰ）に達するまで交互に引っ張り、ワイヤー（１５）が、サイドウィンドウ（１）の周囲全体の端部（１Ｃ）で接着剤を切り離すことを特徴とする方法。
【請求項６】
請求項１から５のいずれかの方法であって、巻き取り機構（１６、１７）を、対応するワイヤー部分（１５Ａ−Ｃ及び１５Ｄ−Ｆ）を巻くために同じ方向（ＷＵ）に操作することを特徴とする方法。
【発明の詳細な説明】
【技術分野】
【０００１】
本発明は乗り物の固定ウィンドウ要素に関係する。本発明は、特に、乗り物から固定サイドウィンドウを取り除くための方法に関する。
【背景技術】
【０００２】
交換や海難救助のため乗り物に取り付けたウィンドウ除去するには、乗り物のフレームに取り付けたウィンドウ要素を接合する接着シール材にツールを通して切断する。その数年の間じゅう、主として乗り物のフロントガラス及びリヤウインドウの除去のための様々な方法が示唆、実行されました。そのようなものの中で既知の方法は、ナイフのツールを接着ボンドを切り離すために使用し、同時に外部からの圧力を、フロントガラスに加えられる方法が知られている（参照：特許文献１）。他の方法としては、糸が接着に沿って通すワイヤーを利用し、フロントガラスの周囲のシールを全面に切り離すために前後に移動するものがある（参照：特許文献２、特許文献３）。これらの方法はすべて比較的長い作業時間を必要とし、厄介なことに、ウィンドウ要素及び乗り物の内装部品や外装部品を破損する明白な危険性がある。
【０００３】
乗り物のフロントガラスの除去のための改善された方法は、本出願人が出願中の米国特許出願第３２６７６３号に開示されている。この方法は、２つの別個のツールを結合して使用し、一定間隔で配置された位置で吸着盤によりフロントガラスに固定し、フロントガラスの接着剤に沿って通すワイヤーの１端を巻くための手段を各々含む。この方法は、切断オペレーション中に、２つの別個の手工具及びそれらの再ポジショニングに必要な適当なスペースを、フロントガラスの除去のために特に設計してある。
【０００４】
最近、乗り物に固定されたサイドウィンドウ要素を非破壊で除去することが注目されている。この主な理由のうちの１つは、保険会社が固定されたサイドウィンドウを交換する費用の支払に乗り気でなくなっているということである。サイドウィンドウ事故でも損害をあまり受けず高品質のボディー修理及び塗装に除去しなければならないからである。そのような状況下でも、現在では、ウィンドウ要素を砕くのが一般的なやり方であり、そのためのクリーニングと、新しいウィンドウ要素の追加費用が生じていた。
【特許文献１】米国特許６１０１７０２号公報
【特許文献２】米国特許第４９９５１５３号公報
【特許文献３】米国特許第５６２２０９３号公報
【発明の開示】
【発明が解決しようとする課題】
【０００５】
残りの数少ない手段としては、ナイフあるいは手で操作するワイヤーを使用し、上述した時間を消費する、厄介で、恐らく車体等を破損する方法のうちの１つを使用することである。
【０００６】
しかし、このような方法は、しばしば実際にウィンドウ要素に破損することがある。その結果、ウィンドウ要素はとにかく交換されなければならなくなってしまうのである。
【０００７】
本発明は、乗り物に固定されたウィンドウ要素を取り除くための公知技術で経験される、上記問題を解決可能な技術を提供することを目的とする。
【０００８】
本発明の基本的な目的は、サイドウィンドウ等の乗り物からの固定された小さなウィンドウ要素を非破壊で除去するための改善された方法を提供することにある。
【課題を解決するための手段】
【００１０】
簡潔には、本発明は、固定されている乗り物ウィンドウを削除する方法を提供し、それを、乗り物へウィンドウ要素を接合するための接着剤に沿って通し、ウィンドウ要素の周囲に輪形に置くものである。本発明によれば、切断ワイヤーの最初の端は、単一のツールからなる第１のワイヤー巻上手段に取り付け、また、前記切断ワイヤーの第２の端は、前記単一ツールの別のワイヤー巻上手段に付ける。その後、ワイヤーの第１と第２の端は、サイドウィンドウ要素の全周囲の接着剤を通してワイヤー・カットまで、第１、第２ワイヤー巻上手段で引っぱられる。
【００１１】
本発明の別の態様によれば、本発明は、その実施に使用する吸着盤ツールを提供する。簡潔には、前記ツール上には２つの別個の一定間隔で配置されたウィンチを備え、輪状の切断ワイヤの遊離端を受け入れ、動作させる。切断ワイヤはウィンドウ要素の接着剤に沿って通す。
【発明の効果】
【００１２】
本発明が開示した方法は、単一のダブルウィンチ・ツールによる実際の使用領域、及びその操作の両方に関して非常にコンパクトである。したがって、本発明の方法は、乗り物からの小型の固定されたサイドウィンドウを安全かつ有効に非破壊で除去することに関してユニークな可能性を提供する。
【００１３】
本発明の長所は、上述の記載に加え、以下に説明する発明の実施例の詳細な記述により容易に評価されるであろう。
【発明を実施するための最良の形態】
【００１４】
以下本発明を実施するための最良の形態を図面を参照して説明する。
【実施例１】
【００１５】
本発明によるツール３の典型的な実施例を図１Ａ、１Ｂ及び１Ｃ中例示する。このツール３の基本設計は、本発明者自身が現在使用されているハンドツール「Ｒｏｌｌｏｕｔ２０００（登録商標）」に基づく。このツールは、シーラント／接着剤をカットするのに使用し、乗り物ボディーへとりつけられているフロントガラス等を取り除くために用いられている。前記基本設計では、ツール３は２つの吸着部材５、６を有する細長いハンドル４からなる。吸着部材５，６は、ボルト３０及びナット３１によって、ハンドル４の各立面部４Ａ、４Ｂに取り付けてある。ボルトは図１Ａ中の左側に示した一つの穴５Ｃに通す。穴５Ｃは、各吸着部材５，６の支持部５Ａ、６Ａに設けてあり、ハンドルの各端部４Ａ、４Ｂの中の穴４Ｃを通る。
【００１６】
本発明の図示した実施例中で、吸着部材５、６の間の相互の距離、したがってツール３の全長Ｌ１、Ｌ２は調整可能である。特に図１Ｂを参照されたい。図示の実施例では、ハンドル４の各端部４Ａ、４Ｂの中に多くの貫通孔４Ｃを一定間隔で配置することにより長さの調節を行える。この実施例では、穴４Ｃは各端部に２箇所設けてあるが、これらのうち１つだけが図１Ｂにおいて示してある。吸着部材５、６は、ハンドル４の各端部４Ａ、４Ｂに適切な穴４Ｃを通してボルト３０を挿入することによって取り付けられる。したがって、ボルト３０を異なる穴４Ｃに挿入することによって、ツール３の長を、除去するウィンドウ要素へ対応させ得る。
【００１７】
吸着部材５、６は部分５Ａ，６Ａを支持し、ハンドル各端部４Ａ、４Ｂを緩く受け入れ、それによってツールを適当かつ適切に、曲がっているウィンドウ要素に取り付け得るようにする。吸着部材５、６は、円形のゴム吸着盤部７、８、及びラッチ装置９、１０をそれぞれ備える。ラッチ装置９、１０を使うことによって、すなわち図１Ｂ中で示すように直立位置から吸着盤部７，８側へ引き倒し、図中破線で示した水平状態に位置させることにより、吸着部材７、８に吸着力が掛かり、しっかりと滑らかな表面に取り付けることができる。吸着部材７、８は金属ディスク１１、１２に取り付ける。ディスク１１，１２はガイド溝１３、１４を持ち、後述するように、ツール３に取り付ける切断ワイヤー１５をガイドする。
【００１８】
本発明のツール３は２つのウィンチ機構１６、１７を備える。ウィンチ機構１６、１７は、ハンドル４の中央の部分でツール３に取り付けられるブラケット２５上に支持する。図示の実施例では、一対のウィンチ１機構１６、１７は、ハンドル４の中心軸Ｃとほぼ平行なラインＢに沿って、互いに並んで離して設けてある。２つのウィンチ機構１６、１７ツール３は、現在用いられているハンドツールの一つと同様の一般的な種類のものでよい。特に、ウィンチ機構１６、１７は、ワイヤー１５を受け取り、上へ曲げるためのローラー１８を有する。ワイヤー１５を、ローラー１８に巻き取るように回転する間に、ローラー１８にワイヤー１５を固定するために偏心させて位置した開口１９に挿入する。
【００１９】
巻き取りローラー１８は巻き取り方向ＷＵにおいて回転可能で、通常は反対方向への回転を防ぐ、内部ロック装置（特に図示せず）を備えている。ウィンチ機構１６、１７はそれぞれ、ロック装置をリリースするための解除ボタン２０を持ち、ローラー１８はワイヤー１５の巻き取り方向ＵＷと反対方向へ回転できる。各巻き取りローラー１８の回転は、ラチェット・レンチ等のようなねじ回し状のハンドル２１（図２Ｂを参照）によって行なう。このハンドル２１は各ローラー１８の上端に設けるソケット２２と係合する。本発明のハンドルツール３の２つの隣接したウィンチ機構１６、１７は、各々同じ方向ＷＵ及びＵＷに回転可能で、それぞれ切断ワイヤー１５を巻き取る。対応するウィンチを同方向へ回転させることにより２つのワイヤを端部から巻き取るのにとても実際的で、ユーザにわかりやすい。ラチェット・レンチも組み合わせて使用する場合、１つのウィンチから別のウィンチに移動させる場合は再度調節しなければならない。
【００２０】
本発明の方法を実施するための上述した装置／ツール３の使用について、特に図２Ａ−Ｃを用いて説明する。最初に、切断ワイヤー１５を接着剤に沿って挿入する。接着剤は、通常、固定の乗り物用サイドウィンドウ１要素を概略的に示した受け入れ構造体２へ接合する。図１Ｃを参照された。切断ワイヤー１５は、接着剤に沿って、一般に使用されるくぼんだ針（図示せず）により、ウィンドウ要素１の側面の端１Ｃと構造体２の間に挿入される。以下に明確にするように、ワイヤー１５の長さは、ウィンドウ要素１のサイズに対応する。特に、挿入ポイントＩＰでは、ワイヤー１５の両端１５Ａ及び１５Ｄは、通常はウィンドウ１の外部側である第一の側１Ａから挿入し、そのウィンドウ１の外部の内部側である他の側１Ｂへ通す。その結果、自由端１５Ａ、１５Ｄは、乗り物の内部に配置される。ワイヤの端部１５Ａ、ワイヤ部分１５Ｂ及びワイヤ端部１５Ｄ、ワイヤ部分１５Ｅは、内部で、ほぼ等しい長さである。ワイヤ部分１５Ｃ、１５Ｆは図２Ａに示すように、ウィンドウ１の第一の側／外部１Ａ上にある。ウィンドウ１の周囲の閉ループ中に配する。ユーザは、内部の両端を少し引いてもよい。図２Ｂで示すように、ワイヤー１５はウィンドウ要素１の外部に端部１Ｃに配置する。
【００２１】
装置／ツール３は、吸着盤７、８を真空にすることにより、ウィンドウ１の第二の側１Ｂに取り付けられる。ワイヤー１５の第一の端部１５Ａ及び内側の部分１５Ｂは隣接し、関連する溝１４の中で吸着部材６のまわりでガイドされる。上述のように、ワイヤ端１５Ａは、ウィンチ機構１６のローラー１８のうちの一つに取り付けられる。第一のワイヤ端１５Ａは、特に、吸着部材６からもっとも離れているウィンチ機構ローラー１８に取り付けられる。その理由は後述する。レンチ２１の操作でウィンチ機構１６を駆動し、ワイヤーを引き、その張力が増加する。またワイヤー１５の内部の部分１５Ｂと外部の部分１５Ｃの間に鋭角αが形成される。このような鋭角部分は切断の有効性を改善する。ワイヤー１５Ａからワイヤー部分１５Ｃまでの張力がさらに増加するため、ワイヤーは、鋭角部分でウィンドウ要素１と構造２の間の接着剤を切り離し始める。
【００２２】
この初期動作、すなわち第一のワイヤー端部１５Ａからワイヤー部分１５Ｃまでを緊張させることが切断動作に加えて重要な目的である。ワイヤ端部が挿入ポイントＩＰで交差しないことを確実にするために利用できるからである。ワイヤ端部が挿入ポイントＩＰで交差した場合、第一のワイヤ端部の張力が、ワイヤーが切断するとともに緩んでしまうからである。ワイヤー部分が交差していないことを確認したら、すぐに、ワイヤー１５の第２の端部１５Ｄを対応するウィンチ機構１７に取り付ける。この段階では、第一のウィンチ機構１６を動作させるか、それとも、二者択一で２つのウィンチ１６、１７を操作するかは選択できる。対応するワイヤー端部１５Ａからワイヤー部分１５Ｃまで及び１５Ｄからワイヤー部分１５Ｆまでが会合点ＭＰ（図２Ｃ参照）に達すると、そこで２つのワイヤー端が構造２からのウィンドウ１を切断して緩む。
【００２３】
第一のケースでは、ワイヤー端部１５Ａからワイヤー部分１５Ｃまでは、第一のウィンチ機構１６及び切断ポイントのローラー１８上に巻かれる。そのとき、ワイヤー部分１５Ｂと１５Ｃの間の角度はαで、第２のウィンチ機構１７の動作が始まるまで、挿入ポイントＩＰから会合点ＭＰまで、移動する。この第一のケースでは、第二の緩んでいるワイヤー端部１５Ｄを第一のウィンチ１６の動作中に取り付ける必要はない。接着剤とワイヤー１５の間の摩擦によってウィンドウ１の外部の端に沿ってワイヤー１５が滑ること防がれるためである。ワイヤーが交差しないことを確認したらすぐに、ワイヤーの第二の端部１５Ｄはウィンチ機構１７に取り付けられる。そして、２つのウィンチ機構は、会合点ＭＰで両方のワイヤー部分１５Ａ−Ｃ及び１５Ｄ−Ｆが出会うまで、交互的に操作する。
【００２４】
ワイヤ端１５Ａ、１５Ｄを整えることによって、対応するガイド吸着部材５、６から離れている、それぞれのウィンチ機構のローラー１８に取り付け、そして、ワイヤエンドはウィンチ在校のエリアで交差し、好的な鋭い削り角αが、両方のワイヤー部分１５Ａ−Ｃ、１５Ｄ−Ｆのための十分な切断操作中に維持される。これは、ツール３の位置を調節せずにウィンドウ１の周囲で有効な切断が達成されることを意味する。
【００２５】
図示の実施例では、挿入ポイントＩＰは、ほぼウィンドウ要素１の一つの側の中間点にある。この位置は一つの正常な選択位置である。しかしながら、本発明は、挿入ポイントＩＰの位置をそのように選ぶことに制限されない。実際、最も適切な挿入ポイントＩＰは各適用及び／または／状況に応じて変わり、図２Ａ−Ｃで見られるように、ウィンドウ要素１の上部かより低い側にあってもよい。挿入ポイントＩＰの様々な位置のうちでただ一つ効果的な位置は、ウィンチ機構１６あるいは１７のうちの１つが他のもの以上に操作されなければならないであろうということである。
【００２６】
本発明の方法は、乗り物に固定されたサイドウィンドウを安全かつ非破壊で除去を可能な点で独特である。さらに、本発明の方法は非常に有効で、実施が簡単であり、オペレーターが単一のツールを使用し、装置の位置を変えることも要求せずに、ウィンドウ要素を十分に緩く切断できる。
【００２７】
本発明は、現在最も実際的なものであると考えられる実施例、具体例に関して記述いる。したがって、本発明が図示された例に制限されないことは理解されよう。例えば、装置３は、２つのウィンチ１６、１７が、ハンドルとほぼ平行なラインに沿って並んでいる具体例として示した。これは、正常な用途には実際的なために尊重され、好まれる配置である。しかしながら、これはその他のウィンチの配置であって、特定の状況あるいは適用にふさわしいものを排除しない。そのような可能な修正済の配置例を図３、図４中に示す。図３は、２つのウィンチ１６、１７が、直角にハンドル４の中心線Ｃと交差するラインＤに沿って並んで位置するツール１０３の実施例を示す。図４は、２つのウィンチ１６、１７がハンドル４の異なるサイドに置かれるツール２０３の実施例を示す。例えば、図３に示した具体例の変形としては、ハンドルの中心線に垂直でないラインに沿って２つのウィンチを並設するものが考えられる。
【００２８】
この変形例の主な利点は、ハンドル、及びそのために全ツールの長さが縮小され得るということである。他方、そのような変形例は、ウィンドウの周囲を十分に切断するために装置の再ポジショニングを要求するかもしれない。
【００２９】
したがって、本発明は、請求の範囲の記載の範囲内に含まれる様々な修正及び等価な例をも含む。
【図面の簡単な説明】
【００３０】
【図１】本発明の方法を示すための装置の第一の例の平面図（Ａ）、図１Ａの中で例示した装置の側面図（Ｂ）、図１Ａの中で例示した装置のＡ−Ａ線に沿う部分断面図（Ｃ）
【図２】図１Ａ−１Ｂで示した本発明の装置の単一のツールを使用して、サイドウィンドウを除去する操作手順を例示する図
【図３】図１の装置の変形例を示す図
【図４】図１の装置の他の変形例を示す図
【符号の説明】
【００３１】
１  ウィンドウ要素
２  受け入れ構造体
３  ツール
５、６  吸着部材
４  ハンドル
４Ａ、４Ｂ  ハンドルの立面部
４Ａ、４Ｂ  ハンドルの端部
５Ａ、６Ａ  支持部
５Ｃ  穴
７、８  ゴム吸着盤部
９、１０  ラッチ装置
１１、１２  金属ディスク
１３、１４  ガイド溝
１５  切断ワイヤー
１５Ａ  ワイヤの端部
１５Ｂ  ワイヤ部分
１５Ｄ  ワイヤ端部
１５Ｅ  ワイヤ部分
１６、１７  ウィンチ機構
１８  ローラー
１９  開口
２０  解除ボタン
２１  ハンドル
２２  ソケット
２５  ブラケット
３０  ボルト
３１  ナット
１０３  ツール
Ｌ１、Ｌ２  ツールの全長
ＩＰ  挿入ポイント
ＭＰ  会合点
【図１Ａ】
0004614067.tif 000002
【図１Ｂ】
0004614067.tif 000003
【図１Ｃ】
0004614067.tif 000004
【図２Ａ】
0004614067.tif 000005
【図２Ｂ】
0004614067.tif 000006
【図２Ｃ】
0004614067.tif 000007
【図３】
0004614067.tif 000008
【図４】
0004614067.tif 000009